【手続補正書】
【提出日】平成18年7月31日(2006.7.31)
【手続補正１】
【補正対象書類名】明細書
【補正対象項目名】発明の名称
【補正方法】変更
【補正の内容】
【発明の名称】予圧設定方法及びリニアガイド装置
【手続補正２】
【補正対象書類名】明細書
【補正対象項目名】特許請求の範囲
【補正方法】変更
【補正の内容】
【特許請求の範囲】
【請求項１】  リニアガイド装置の転動体に予圧を付与するに際して、前記リニアガイド装置の案内レールとスライダとの間に転動体を組み入れた状態で前記スライダまたは前記案内レールの変形量を測定し、その測定値から予圧の大きさを設定して前記転動体に予圧を付与することを特徴とする予圧付与方法。
【請求項２】  前記変形量は、前記スライダの側面変形量である請求項１記載の予圧付与方法。
【請求項３】  前記変形量は、前記スライダの上面変形量である請求項１記載の予圧付与方法。
【請求項４】  前記スライダの左右側面部に円錐状の凹部をそれぞれ設け、これらの凹部に配置された球状体を介して前記スライダの側面変形量を測定することを特徴とする請求項２記載の予圧付与方法。
【請求項５】  前記スライダの左右側面部または左右下面部もしくは左右端面部にネジ穴をそれぞれ設け、これらのネジ穴から突出する軸部材を介して前記スライダの側面変形量を測定することを特徴とする請求項２記載の予圧付与方法。
【請求項６】  前記スライダの左右側面部または左右内側面部にＶ字状もしくはＵ字状の溝をそれぞれ設け、これらの溝に配置された球状またはコロ状の部材を介して前記スライダの側面変形量を測定することを特徴とする請求項２記載の予圧付与方法。
【請求項７】  前記スライダに測定器を固定する固定具を用いて前記スライダの側面変形量を測定することを特徴とする請求項２記載の予圧付与方法。
【請求項８】  前記スライダの上面中央部と上面両側部に変位計をそれぞれ配置して前記スライダの上面変形量を測定することを特徴とする請求項３項記載の予圧付与方法。
【請求項９】  案内レールと、該案内レールの左右側面部に形成された転動体軌道面と対向する複数の転動体軌道面を有するスライダと、該スライダの転動体軌道面と前記案内レールの転動体軌道面との間に設けられた多数の転動体とを備えてなるリニアガイド装置において、前記スライダの左右側面部に円錐状の凹部をそれぞれ設けたことを特徴とするリニアガイド装置。
【請求項１０】  案内レールと、該案内レールの左右側面部に形成された転動体軌道面と対向する複数の転動体軌道面を有するスライダと、該スライダの転動体軌道面と前記案内レールの転動体軌道面との間に設けられた多数の転動体とを備えてなるリニアガイド装置において、前記スライダの左右側面部または左右下面部もしくは左右端面部にネジ穴をそれぞれ設けたことを特徴とするリニアガイド装置。
【請求項１１】  案内レールと、該案内レールの左右側面部に形成された転動体軌道面と対向する複数の転動体軌道面を有するスライダと、該スライダの転動体軌道面と前記案内レールの転動体軌道面との間に設けられた多数の転動体とを備えてなるリニアガイド装置において、前記スライダの左右側面部または左右内側面部にＶ字状もしくはＵ字状の溝をそれぞれ設けたことを特徴とするリニアガイド装置。
【請求項１２】  案内レールと、該案内レールの左右側面部に形成された転動体軌道面と対向する複数の転動体軌道面を有するスライダと、該スライダの転動体軌道面と前記案内レールの転動体軌道面との間に設けられた多数の転動体とを備えてなるリニアガイド装置において、前記スライダの側面部に、研削面を設けたことを特徴とするリニアガイド装置。
【手続補正３】
【補正対象書類名】明細書
【補正対象項目名】０００１
【補正方法】変更
【補正の内容】
【０００１】
【発明の属する技術分野】
本発明は、リニアガイド装置の転動体に予圧を付与する予圧付与方法及びリニアガイド装置に関する。
【手続補正４】
【補正対象書類名】明細書
【補正対象項目名】０００６
【補正方法】変更
【補正の内容】
【０００６】
【発明が解決しようとする課題】
しかしながら、上述した方法は、転動体が玉である場合には有効であるが、転動体としてコロを用いた場合にはスライダの摺動抵抗がコロと鍔との滑り摩擦力に支配される。このため、転動体として玉を用いた場合のように、スライダの摺動抵抗と予圧の大きさが１対１の関係とならないため、転動体に適切な予圧を付与することが困難となる。また、転動体が玉であっても転動体を保持する部材として保持チェーンを用いた場合（特開平１０−９２６４号公報参照）には、保持チェーンと保持チェーンの案内面の摩擦力が大きいため、上述した方法では転動体に適切な予圧を付与することが困難となる。
本発明は、このような問題点に着目してなされたものであり、転動体としてコロを用いた場合や転動体を保持する部材として保持チェーンを用いた場合でも転動体に適切な予圧を付与することのできる予圧付与方法及びリニアガイド装置を提供することを目的とするものである。
【手続補正５】
【補正対象書類名】明細書
【補正対象項目名】０００９
【補正方法】変更
【補正の内容】
【０００９】
さらに、請求項６記載の発明のように、スライダの左右側面部または左右内側面部にＶ字状もしくはＵ字状の溝をそれぞれ設け、これらの溝に配置された球状またはコロ状の部材を介してスライダの側面変形量を測定してもよい。また、請求項７記載の発明のように、スライダに測定器を固定する固定具を用いて側面変形量を測定してもよい。また、スライダの上面変形量を測定するときには、請求項８記載の発明のように、スライダの上面中央部と上面両側部に変位計をそれぞれ配置してスライダの上面変形量を測定することが望ましい。
請求項９記載の発明は、案内レールと、該案内レールの左右側面部に形成された転動体軌道面と対向する複数の転動体軌道面を有するスライダと、該スライダの転動体軌道面と前記案内レールの転動体軌道面との間に設けられた多数の転動体とを備えてなるリニアガイド装置において、前記スライダの左右側面部に円錐状の凹部をそれぞれ設けたことを特徴とする。
請求項１０記載の発明は、案内レールと、該案内レールの左右側面部に形成された転動体軌道面と対向する複数の転動体軌道面を有するスライダと、該スライダの転動体軌道面と前記案内レールの転動体軌道面との間に設けられた多数の転動体とを備えてなるリニアガイド装置において、前記スライダの左右側面部または左右下面部もしくは左右端面部にネジ穴をそれぞれ設けたことを特徴とする。
請求項１１記載の発明は、案内レールと、該案内レールの左右側面部に形成された転動体軌道面と対向する複数の転動体軌道面を有するスライダと、該スライダの転動体軌道面と前記案内レールの転動体軌道面との間に設けられた多数の転動体とを備えてなるリニアガイド装置において、前記スライダの左右側面部または左右内側面部にＶ字状もしくはＵ字状の溝をそれぞれ設けたことを特徴とする。
請求項１２記載の発明は、案内レールと、該案内レールの左右側面部に形成された転動体軌道面と対向する複数の転動体軌道面を有するスライダと、該スライダの転動体軌道面と前記案内レールの転動体軌道面との間に設けられた多数の転動体とを備えてなるリニアガイド装置において、前記スライダの側面部に、研削面を設けたことを特徴とする。
【手続補正６】
【補正対象書類名】明細書
【補正対象項目名】００２４
【補正方法】変更
【補正の内容】
【００２４】
また、上述した実施の形態では案内レール１１とスライダ１２を組み合わせてスライダ１２の変形量を測定するようにしたが、図１８乃至図２０に示すように、スライダ１２と基準レール３１を組み合わせてスライダ１２の変形量を測定するようにしてもよい。この場合、図１８及び図２０に示すように、１個の変位計３２を用いてスライダ１２の開き量ΔＷを測定することも可能であるが、図１９に示すように、２個の変位計３２を用いてスライダ１２の開き量ΔＷを測定することにより、開き量ΔＷを精度良く測定することができる。さらに、図２０に示すように、スライダ１２の側面部に研削面３５を形成し、この研削面３５に変位計３２を接触させてスライダ１２の開き量ΔＷを測定するようにしてもよい。
【手続補正７】
【補正対象書類名】図面
【補正対象項目名】図２０
【補正方法】変更
【補正の内容】
【図２０】
2005048844.tif 000001